(57)【要約】【課題】撮影モードの切り替えを簡単な構成で容易に行うことのできる撮像機能付き携帯端末を提供すること。【解決手段】互いにスライドできる上部筐体１および下部筐体２を備え、上部筐体１と下部筐体２が全体的に重なり合った閉状態および上部筐体１を下部筐体２に対してスライドした開状態のいずれかの状態になり得る撮像機能付き携帯端末であって、上部筐体１は被写体を撮影するカメラ部６を有し、下部筐体２は閉状態のときに光軸がカメラ部６の光軸と一致する追加光学ユニット７を有し、閉状態のときはカメラ部６と追加光学ユニット７とによって構成された光学系が利用され、開状態のときはカメラ部６のみの光学系が利用される。【選択図】    図２
2004229049.tif 000002
【特許請求の範囲】
【請求項１】
互いに摺動可能な第１の筐体および第２の筐体を備え、前記第１の筐体と前記第２の筐体とが全体的に重なり合った閉状態および前記閉状態から前記第１の筐体を前記第２の筐体に対して摺動した開状態のいずれかの状態になり得る撮像機能付き携帯端末であって、
前記第１の筐体は、被写体を撮影する撮影手段を有し、
前記第２の筐体は、当該撮像機能付き携帯端末が閉状態のときに光軸が前記撮影手段の光軸と一致する光学手段を有し、
当該撮像機能付き携帯端末が閉状態のときは前記撮影手段と前記光学手段とによって構成された光学系が利用され、当該撮像機能付き携帯端末が開状態のときは前記撮影手段のみの光学系が利用されることを特徴とする撮像機能付き携帯端末。
【請求項２】
前記第２の筐体が有する前記光学手段は、前記第２の筐体に対して挿脱可能であることを特徴とする請求項１記載の撮像機能付き携帯端末。
【請求項３】
前記撮影手段は、前記閉状態および前記開状態のいずれか一方の状態では第１の撮影モードで撮影し、他方の状態では第２の撮影モードで撮影することを特徴とする請求項１または２記載の撮像機能付き携帯端末。
【請求項４】
前記第１の撮影モードおよび前記第２の撮影モードでは焦点距離がそれぞれ異なることを特徴とする請求項３記載の撮像機能付き携帯端末。
【発明の詳細な説明】
【０００１】
【発明の属する技術分野】
本発明は、撮影モードの切り替えを簡単な構成で容易に行うことのできる撮像機能付き携帯端末に関する。
【０００２】
【従来の技術】
近年、携帯電話機やＰＤＡ等の携帯端末に、固体撮像素子（ＣＭＯＳ型、ＣＣＤ型等）を用いたカメラが搭載されるようになってきている。携帯電話機等の小型の機器に搭載されるカメラには単焦点（固定焦点）の光学系が採用されることが多く、ある撮影距離から無限遠までの範囲でピントが合うパンフォーカス方式が一般的に採用されていた。ただ、携帯電話機等の機器に搭載されるカメラであっても、デジタルスチルカメラで実現されているような望遠撮影や接写の機能が要求されるようになってきている。しかしながら、携帯電話機等の機器には寸法や消費電力に制約があるため、デジタルスチルカメラ等のようにレンズをモータ等の電動アクチュエータで駆動する方式で望遠撮影や接写を実現するのは困難である。
【０００３】
そこで、特開２００１−３３３１７１号公報（特許文献１）に記載されているカメラ付き携帯電話では、カメラの対物レンズの前に上下または左右にスライドできる追加レンズ（可動式レンズ）を備え、対物レンズの前に追加レンズを配置した場合と対物レンズのみの場合とで焦点の位置を変え、接写と標準撮影とを切り替え可能にしている。
【０００４】
また、実用新案登録第３０８５４７６号公報（特許文献２）に記載されているカメラ付き携帯電話機では、図５に示すように、携帯電話機１０の筐体に組み込まれたカメラ１２に追加レンズ１００を取り付け可能とすることによって、標準撮影と接写の切り替えを実現している。
【０００５】
【特許文献１】
特開２００１−３３３１７１号公報
【特許文献２】
実用新案登録第３０８５４７６号公報
【０００６】
【発明が解決しようとする課題】
しかしながら、上記特開２００１−３３３１７１号公報（特許文献１）に記載のカメラ付き携帯電話にあっては、携帯電話筐体の基本構造に加え、新たに、可動式レンズをスライドさせるための構造が必要であった。このため、当該構造が耐久性の低下やコスト増の要因になり得るという問題点があった。また、実用新案登録第３０８５４７６号公報（特許文献２）に記載のカメラ付き携帯電話機にあっては、追加レンズを携帯端末と共に携帯する必要があり、しかも追加レンズの着脱が煩わしいという問題点があった。
【０００７】
本発明は、上記従来の問題点に鑑みてなされたものであって、撮影モードの切り替えを簡単な構成で容易に行うことのできる撮像機能付き携帯端末を提供することを目的としている。
【０００８】
【課題を解決するための手段】
上記目的を達成するために、本発明に係る撮像機能付き携帯端末は、互いに摺動可能な第１の筐体および第２の筐体を備え、前記第１の筐体と前記第２の筐体とが全体的に重なり合った閉状態および前記閉状態から前記第１の筐体を前記第２の筐体に対して摺動した開状態のいずれかの状態になり得る撮像機能付き携帯端末であって、前記第１の筐体は、被写体を撮影する撮影手段を有し、前記第２の筐体は、当該撮像機能付き携帯端末が閉状態のときに光軸が前記撮影手段の光軸と一致する光学手段を有し、当該撮像機能付き携帯端末が閉状態のときは前記撮影手段と前記光学手段とによって構成された光学系が利用され、当該撮像機能付き携帯端末が開状態のときは前記撮影手段のみの光学系が利用されるものである。したがって、撮影モードの切り替えを簡単な構成で容易に行うことができる。
【０００９】
また、本発明に係る撮像機能付き携帯端末は、前記第２の筐体が有する前記光学手段は、前記第２の筐体に対して挿脱可能であることが望ましい。
【００１０】
また、本発明に係る撮像機能付き携帯端末は、前記撮影手段は、前記閉状態および前記開状態のいずれか一方の状態では第１の撮影モードで撮影し、他方の状態では第２の撮影モードで撮影することが望ましい。
【００１１】
また、本発明に係る撮像機能付き携帯端末は、前記第１の撮影モードおよび前記第２の撮影モードでは焦点距離がそれぞれ異なることが望ましい。
【００１２】
【発明の実施の形態】
以下、本発明に係る撮像機能付き携帯端末の実施の形態について、〔第１の実施形態〕、〔第２の実施形態〕の順に図面を参照して詳細に説明する。なお、以下の説明では、第１の実施形態および第２の実施形態の撮像機能付き携帯端末を、音声通話およびデータ通信が可能な携帯電話やＰＨＳ、ＰＤＡ等の通信端末として説明する。
【００１３】
〔第１の実施形態〕
まず、図１および図２を参照して、本発明に係る第１の実施形態の撮像機能付き携帯端末について説明する。
図１は、本発明に係る第１の実施形態の撮像機能付き携帯端末の斜視図であり、図２は、本発明に係る第１の実施形態の撮像機能付き携帯端末の側面図である。図１（ａ）は、第１の実施形態の撮像機能付き携帯端末を前面方向から見た斜視図であり、図１（ｂ）は、背面方向から見た斜視図である。図１に示すように、本実施形態の撮像機能付き携帯端末は、特許請求の範囲の第１の筐体に該当する上部筐体１と、第２の筐体に該当する下部筐体２とを備えて構成されている。上部筐体１は、その前面に液晶表示部３および方向入力用キーパッド５を有し、背面にはカメラ部６を有している。また、下部筐体２は、その前面に文字入力用キーパッド４を有し、さらに追加光学ユニット７を有している。なお、カメラ部６は特許請求の範囲の撮影手段に該当し、追加光学ユニット７は光学手段に該当する。
【００１４】
また、上部筐体１と下部筐体２とは、側面の長手方向に設けられたスライド構造（図示せず）によって互いにスライド（摺動）可能に連結されており、撮像機能付き携帯端末は２つの状態となり得る。２つの状態とは、すなわち、図２（ａ）に示すような上部筐体１と下部筐体２とが略全体的に重なり合った状態（以下、この状態を「閉状態」という。）と、図２（ｂ）に示すような閉状態から上部筐体１を下部筐体２に対して上方向にスライドした状態（以下、この状態を「開状態」という。）である。
【００１５】
本実施形態の撮像機能付き携帯端末にあっては、閉状態では上部筐体１に設けられたカメラ部６と下部筐体２に設けられた追加光学ユニット７の各光軸は一致し、カメラ部６と追加光学ユニット７の２つの構成要素によって１つの光学系が構成される。一方、開状態ではカメラ部６と追加光学ユニット７の各光軸は一致しないため、カメラ部６単独の光学系が構成されることとなる。
【００１６】
以下、上部筐体１が有する各構成要素について説明する。
まず、カメラ部６は、被写体を上部筐体１の下部筐体２と対向する面にレンズが露出するよう埋設されており、方向入力用キーパッド５または文字入力用キーパッド４に対して行われた操作に応じて被写体を撮影するものである。カメラ部６の光学仕様は、一定距離から無限遠までフォーカスが可能なパンフォーカス方式であり、人物や風景等を撮影（標準撮影）するのに適している。但し、カメラ部６は、被写体との距離が例えば３０センチといった至近距離での撮影（接写）ではピントが合わないため、被写体との距離が所定距離以上離れた撮影に適している。
【００１７】
また、液晶表示部３は、上部筐体１の前面に露出して設置され、カメラ部６によって撮影された画像等を表示するものである。また、方向入力用キーパッド５は、本実施形態の撮像機能付き携帯端末を操作するためのものであり、特に、カメラ部６のシャッターを切るといった操作を行える。
【００１８】
次に、下部筐体２が有する各構成要素について説明する。
まず、追加光学ユニット７は、下部筐体２の、閉状態のときにカメラ部６の光軸と当該追加光学ユニット７の光軸が一致する位置に、前面から背面にかけて下部筐体２を貫いて設置されており、撮像機能付き携帯端末が閉状態のときに上部筐体１に設けられたカメラ部６で接写が可能な光学系の一部を構成するレンズである。また、文字入力用キーパッド４は、本実施形態の撮像機能付き携帯端末を操作するためのものであり、特に、カメラ部６のシャッターを切るといった操作を行える。
【００１９】
以上説明した構成要素を備えた撮像機能付き携帯端末が閉状態のとき、上述したように、カメラ部６の光軸と追加光学ユニット７の光軸はそれぞれ一致しているため、カメラ部６と追加光学ユニット７とによって１つの光学系が構成される。したがって、撮像機能付き携帯端末の背面側を被写体に向け、液晶表示部３の表示画面を確認しながら方向入力用キーパッド５を操作することによって、被写体を接写することができる。
【００２０】
一方、下部筐体２に対して上部筐体１を上方向にスライドさせた開状態のときは、上述したように、カメラ部６の光軸と追加光学ユニット７の光軸は一致しないため、カメラ部６単独で光学系が構成される。したがって、撮像機能付き携帯端末の背面側を被写体に向け、液晶表示部３の表示画面を確認しながら方向入力用キーパッド５または文字入力用キーパッド４を操作することによって、被写体を標準撮影することができる。
【００２１】
以上説明したように、本実施形態の撮像機能付き携帯端末によれば、下部筐体２に対して上部筐体１をスライドさせるといった簡単な構成で２種類の光学系を実現することができ、一方の光学系では標準撮影を行え、他方の光学系では接写を行うことができる。したがって、従来のように追加レンズを携帯して着脱する必要がないため、標準撮影から接写、接写から標準撮影といった撮影モードの切り替えを容易に行うことができる。
【００２２】
また、本実施形態の撮像機能付き携帯端末によれば、通話等、携帯端末の基本動作を実現するために必要な構造のみを用いて、撮影モードの切り替えを容易に行うことができる。つまり、当該撮像機能付き携帯端末のスライド機構に、新たに、撮影モードの切り替え機能を持たせることができるという効果がある。
【００２３】
なお、本実施形態では、撮像機能付き携帯端末が閉状態のときは接写を行えるが、追加光学ユニット７の種類を変えることによって望遠撮影を行えるようにしても良い。また、追加光学ユニット７を、偏光フィルタや機械式のシャッタ装置、絞り装置等の光学部品としても良く、複数の光学部品を組み合わせても良い。さらに、カメラ部６が有するレンズを望遠レンズや接写レンズ等の他のレンズにして、閉状態のときに標準撮影を可能としても良い。
【００２４】
〔第２の実施形態〕
次に、図３および図４を参照して、本発明に係る第２の実施形態の撮像機能付き携帯端末について説明する。
図３は、本発明に係る第２の実施形態の撮像機能付き携帯端末の斜視図であり、図４は、本発明に係る第２の実施形態の撮像機能付き携帯端末の側面図である。図３および図４において、図１または図２（第１の実施形態）と重複する部分には同一の符号を附して説明を省略する。
【００２５】
図３に示すように、本実施形態の撮像機能付き携帯端末は、上部筐体１と、特許請求の範囲の第２の筐体に該当する下部筐体８とを備えて構成されている。下部筐体８は、第１の実施形態の追加光学ユニット７の代わりに、レンズ保護カバー８２と、追加光学ユニット用スロット８１とを有している。
【００２６】
次に、下部筐体８が有する各構成要素について説明する。
まず、追加光学ユニット用スロット８１は、後述する追加光学ユニット８３を挿着するためのものであり、下部筐体８の側面に設けられている。なお、下部筐体８には、本実施形態の撮像機能付き携帯端末を閉状態としたときカメラ部６の光軸方向に下部筐体８を貫通する空間が設けられており、追加光学ユニット用スロット８１には当該空間を遮るように追加光学ユニット８３が挿着される。また、レンズ保護カバー８２は、当該空間の下部筐体８の背面側を覆うように設けられた透明色のカバーであり、追加光学ユニット用スロット８１に挿着された追加光学ユニット８３にほこり等が付着するのを防止するものである。
【００２７】
なお、追加光学ユニット用スロット８１に挿着可能な追加光学ユニット８３は、本実施形態の撮像機能付き携帯端末が閉状態のときにカメラ部６の光軸と一致する光軸を備えた光学部品を有して構成されたものである。本実施形態では、撮像機能付き携帯端末が閉状態のときに追加光学ユニット８３が挿着されると、カメラ部６と追加光学ユニット８３とによって接写機能が実現される。なお、追加光学ユニット８３を他のユニットに挿し替えることによって、例えば望遠撮影や偏光フィルタを利用した撮影等、多様な撮影モードを実現することができる。
【００２８】
以上説明したように、本実施形態の撮像機能付き携帯端末によれば、下部筐体８に設けられた追加光学ユニット用スロット８１に追加光学ユニット８３を挿脱することができる。このため、１台の撮像機能付き携帯端末であっても、追加光学ユニット８３を挿し替えることで、接写、望遠撮影、偏光フィルタを用いた撮影等の中から所望の撮影モードで撮影を行える。また、撮像機能付き携帯端末の筐体寸法が限定された条件下でもこのような効果を奏することができる。
【００２９】
【発明の効果】
以上説明したように、本発明に係る撮像機能付き携帯端末によれば、撮影モードの切り替えを簡単な構成で容易に行うことができる。
【図面の簡単な説明】
【図１】本発明に係る第１の実施形態の撮像機能付き携帯端末の斜視図である。
【図２】本発明に係る第１の実施形態の撮像機能付き携帯端末の側面図である。
【図３】本発明に係る第２の実施形態の撮像機能付き携帯端末の斜視図である。
【図４】本発明に係る第２の実施形態の撮像機能付き携帯端末の側面図である。
【図５】従来の撮像機能付き携帯端末を示す斜視図である。
【符号の説明】
１  上部筐体
２，８  下部筐体
３  液晶表示部
４  文字入力用キーパッド
５  方向入力用キーパッド
６  カメラ部
７，８３  追加光学ユニット
８１  追加光学ユニット用スロット
８２  レンズ保護カバー
【図１】
2004229049.tif 000003
【図２】
2004229049.tif 000004
【図３】
2004229049.tif 000005
【図４】
2004229049.tif 000006
【図５】
2004229049.tif 000007